(57)【要約】【課題】発熱部材の熱を効果的に放熱し得る携帯端末を提供する。【解決手段】放熱部材５０は、筐体１１内に配置されてＲＦＩＤタグ処理部４０や制御部２１などの発熱部材２０からの熱を受ける第１放熱板５１と、筐体１１外に配置されて第１放熱板５１を介して伝達される熱を放熱する第２放熱板５２とを備えている。また、熱伝導シート６０は、第１放熱板５１および発熱部材２０にそれぞれ面接触して両部材間の熱伝達を行う。そして、第２放熱板５２は、筐体１１のうち把持部１２と異なる頭部１４の外面側に配置される。【選択図】図２
2011045004.tif 000002
【特許請求の範囲】
【請求項１】
操作手段が設けられてこの操作手段を操作するために把持される把持部と外部から情報を取得する取得手段を有する頭部とから構成される筐体と、
前記筐体内に配置されて取得した情報の処理時に発熱する発熱部材と、
前記筐体内に配置されて前記発熱部材からの熱を受ける第１放熱部と前記筐体外に配置されて前記第１放熱部を介して伝達される熱を放熱する第２放熱部とを有する放熱部材と、
前記第１放熱部および前記発熱部材にそれぞれ面接触して両部材間の熱伝達を行うための熱伝導部材と、
を備える携帯端末であって、
前記第２放熱部は、前記頭部の外面側に配置されることを特徴とする携帯端末。
【請求項２】
前記第２放熱部の少なくとも一部は、弾性部材により一体化して被覆されることを特徴とする請求項１に記載の携帯端末。
【請求項３】
前記第１放熱部および前記第２放熱部には、他方に連結するための連結部がそれぞれ同じ材料にて設けられており、これら連結部を介して前記第１放熱部および前記第２放熱部が熱伝導可能に連結されることを特徴とする請求項１または２に記載の携帯端末。
【請求項４】
前記発熱部材は、ＲＦＩＤタグと無線通信することにより当該ＲＦＩＤタグに記録されている情報を読み取るＲＦＩＤタグ読取手段であって、
前記第２放熱部の一部は、前記ＲＦＩＤタグ読取手段の無線通信に関するアンテナ機能を兼備することを特徴とする請求項１〜３のいずれか一項に記載の携帯端末。
【請求項５】
前記第１放熱部は、前記熱伝導部材に面接触しない部位が前記筐体内にて第２放熱部から離間する方向に延出することを特徴とする請求項１〜４のいずれか一項に記載の携帯端末。
【請求項６】
前記取得手段は、前記筐体に設けられる読取口を介して入射する情報コードからの反射光に基づいて当該情報コードに記録されている情報を読み取る光学的読取手段であって、
前記第２放熱部は、前記読取口近傍に配置されることを特徴とする請求項１〜５のいずれか一項に記載の携帯端末。
【発明の詳細な説明】
【技術分野】
【０００１】
本発明は、発熱部材を有する携帯端末に関するものである。
【背景技術】
【０００２】
従来、発熱部材を有する携帯端末に関する技術として、下記特許文献１に示す折畳み式携帯電話機が知られている。この折畳み式携帯電話機は、上下本体がヒンジ機構により折畳み可能に連結されており、下部本体内には、ステンレスからなるシールドケースと、シールドケースの背面に配設されるＩＣカードホルダと、シールドケースの正面に配設される制御基板と、が設けられている。
【０００３】
そして、制御基板のパワーアンプの表面はシールドケースに直接接触しており、このシールドケースはその上部でヒンジ機構の第１フレームに当接し、この第１フレームはＩＣカードホルダに当接している。これにより、パワーアンプで発生した熱はシールドケースに伝達されるとともに、このシールドケースを介してヒンジ機構の第１フレームおよびＩＣカードホルダに伝達されて放熱される。
【先行技術文献】
【特許文献】
【０００４】
【特許文献１】特開２００８−５３７９０号公報
【発明の概要】
【発明が解決しようとする課題】
【０００５】
しかしながら、発熱部材の熱を上述のように筐体（下部本体）内に配置されている構成部品を介して筐体内にて放熱するだけでは、この発熱部材に対する冷却性能を高めることが困難である。特に、例えば、ＲＦＩＤタグリーダライタにおいて、ＲＦＩＤタグを広範囲（例えば２ｍ〜４ｍ）で読取可能とするために高出力の電波を連続して送信すると、ＣＰＵやパワーアンプ等の発熱部材がより多くの熱を発生してしまう。このため、すぐに筐体内の温度が飽和して冷却効果が低下するだけでなく、筐体を把持する部位である把持部が熱くなってしまうという問題がある。
【０００６】
本発明は、上述した課題を解決するためになされたものであり、その目的とするところは、発熱部材の熱を効果的に放熱し得る携帯端末を提供することにある。
【課題を解決するための手段】
【０００７】
上記目的を達成するため、特許請求の範囲に記載の請求項１の携帯端末では、操作手段が設けられてこの操作手段を操作するために把持される把持部と外部から情報を取得する取得手段を有する頭部とを有する筐体と、前記筐体内に配置されて取得した情報の処理時に発熱する発熱部材と、前記筐体内に配置されて前記発熱部材からの熱を受ける第１放熱部と前記筐体外に配置されて前記第１放熱部を介して伝達される熱を放熱する第２放熱部とを有する放熱部材と、前記第１放熱部および前記発熱部材にそれぞれ面接触して両部材間の熱伝達を行うための熱伝導部材と、を備える携帯端末であって、前記第２放熱部は、前記頭部の外面側に配置されることを特徴とする。
【０００８】
請求項２の発明は、請求項１に記載の携帯端末において、前記第２放熱部の少なくとも一部は、弾性部材により一体化して被覆されることを特徴とする。
【０００９】
請求項３の発明は、請求項１または２に記載の携帯端末において、前記第１放熱部および前記第２放熱部には、他方に連結するための連結部がそれぞれ同じ材料にて設けられており、これら連結部を介して前記第１放熱部および前記第２放熱部が熱伝導可能に連結されることを特徴とする。
【００１０】
請求項４の発明は、請求項１〜３のいずれか一項に記載の携帯端末において、前記発熱部材は、ＲＦＩＤタグと無線通信することにより当該ＲＦＩＤタグに記録されている情報を読み取るＲＦＩＤタグ読取手段であって、前記第２放熱部の一部は、前記ＲＦＩＤタグ読取手段の無線通信に関するアンテナ機能を兼備することを特徴とする。
【００１１】
請求項５の発明は、請求項１〜４のいずれか一項に記載の携帯端末において、前記第１放熱部は、前記熱伝導部材に面接触しない部位が前記筐体内にて第２放熱部から離間する方向に延出することを特徴とする。
【００１２】
請求項６の発明は、請求項１〜５のいずれか一項に記載の携帯端末において、前記取得手段は、前記筐体に設けられる読取口を介して入射する情報コードからの反射光に基づいて当該情報コードに記録されている情報を読み取る光学的読取手段であって、前記第２放熱部は、前記読取口近傍に配置されることを特徴とする。
【発明の効果】
【００１３】
請求項１の発明では、放熱部材は、筐体内に配置されて発熱部材からの熱を受ける第１放熱部と、筐体外に配置されて第１放熱部を介して伝達される熱を放熱する第２放熱部とを備えている。また、熱伝導部材は、第１放熱部および発熱部材にそれぞれ面接触して両部材間の熱伝達を行う。そして、第２放熱部は、筐体のうち把持部と異なる頭部の外面側に配置される。
【００１４】
これにより、筐体内に配置される発熱部材にて発生した熱は、同じく筐体内に配置される熱伝導部材および第１放熱部を介して、筐体外に配置される第２放熱部に伝達され、この第２放熱部にて筐体外に放熱されるので、発熱部材の熱を効果的に放熱することができる。また、第２放熱部は、筐体のうち把持部と異なる頭部の外面側に配置されるので、把持部を把持する使用者が発熱部材の熱を感じにくくすることができる。
【００１５】
請求項２の発明では、第２放熱部の少なくとも一部は、弾性部材により一体化して被覆されているため、上述した放熱機能に加えて落下等による衝撃を吸収する保護機能をも兼備することができる。
【００１６】
請求項３の発明では、第１放熱部および第２放熱部は、同じ材料にて設けられる連結部をそれぞれ介して熱伝導可能に連結されるため、第１放熱部および第２放熱部が分離可能に構成されることとなる。これにより、筐体内に配置される第１放熱部の連結部を筐体外に露出させることで、第１放熱部等を収容した筐体に対し、両連結部を連結するように第２放熱部を後から組み付けることが可能となり、筐体の内外に配置される第１放熱部および第２放熱部の組付性を向上させることができる。また、両放熱部の連結部はそれぞれ同じ材料で構成されるので、両放熱部を一体に形成する場合と同等の熱伝導性を両放熱部間に持たせることができる。
【００１７】
請求項４の発明では、発熱部材は、ＲＦＩＤタグと無線通信することにより当該ＲＦＩＤタグに記録されている情報を読み取るＲＦＩＤタグ読取手段であり、第２放熱部の一部は、当該ＲＦＩＤタグ読取手段の無線通信に関するアンテナ機能を兼備する。これにより、第２放熱部の一部は、上述した放熱機能に加えてＲＦＩＤタグ読取手段のアンテナ機能をも兼備するので、筐体外への放熱を実現するための部品点数の増大や大型化を抑制することができる。
【００１８】
請求項５の発明では、第１放熱部は、熱伝導部材に面接触しない部位が筐体内にて第２放熱部から離間する方向に延出するため、熱伝導部材を介する発熱部材からの熱が、第２放熱部だけでなくこの延出部位にも伝達される。これにより、発熱部材からの熱伝導経路が長いために第２放熱部による放熱効果が小さい発熱初期段階であっても、第１放熱部に伝達される熱が上記延出部位にて筐体内に放熱されるため、発熱部材の熱をより効果的に放熱することができる。
【００１９】
請求項６の発明では、取得手段は、筐体に設けられる読取口を介して入射する情報コードからの反射光に基づいて当該情報コードに記録されている情報を読み取る光学的読取手段であり、第２放熱部は、読取口近傍に配置されている。このように取得手段として光学的読取手段を採用することで、外部から情報を光学的に取得することができる。特に、光学的読取手段を備える携帯端末では、通常、読取口から離間する部位を把持部と想定し読取口近傍を把持しない構成になるので、第２放熱部を読取口近傍に配置することで、把持部を把持する使用者が発熱部材の熱を感じにくくすることができる。
【図面の簡単な説明】
【００２０】
【図１】本実施形態に係る読取装置１０の構成概要を示す図であり、図１（Ａ）は正面図、図１（Ｂ）は一部断面で示す側面図である。
【図２】図１の放熱部材５０を示す拡大断面図である。
【図３】図１の読取装置１０の電気的構成を概略的に例示するブロック図である。
【図４】図４（Ａ）は、図３の情報コード読取部３０を例示するブロック図であり、図４（Ｂ）は、図３のＲＦＩＤタグ処理部４０を例示するブロック図である。
【図５】本実施形態の変形例に係る読取装置１０の構成概要を示す一部断面図である。
【発明を実施するための形態】
【００２１】
以下、本発明の携帯端末を読取装置に適用した一実施形態について、図面を参照して説明する。
本実施形態に係る読取装置１０は、使用者によって携帯されて様々な場所で用いられる携帯情報端末として構成されており、バーコードや二次元コードなどの情報コードを光学的に読み取る情報コードリーダとしての機能と、ＲＦＩＤタグ（無線タグ）に記録された情報を無線通信により読み取るＲＦＩＤタグリーダとしての機能とを備え、読み取りを二方式で行いうる構成をなしている。
【００２２】
読取装置１０は、筐体１１内に全体的制御を司る制御部２１、情報コードを光学的に読み取るための情報コード読取部３０、ＲＦＩＤタグの情報を無線通信により読み取るためのＲＦＩＤタグ処理部４０などの各種電気部品と、各種電気部品の電源として機能するバッテリ２８とが収容されるように構成されている。
【００２３】
図１に示すように、筐体１１は、使用者に把持される把持部１２と、液晶表示器２２が取り付けられる液晶部１３と、読取口１４ａが設けられる頭部１４とからなる。把持部１２のうち液晶表示器２２近傍には、読取対象の情報や当該読取装置１０の操作に関する情報を入力可能なファンクションキーや数字情報を入力可能なテンキー等、情報を入力する際に操作される複数のキーを有するキー操作部２３が設けられている。これにより、使用者は、キー操作部２３を操作するために把持部１２を把持することとなる。
【００２４】
頭部１４は、把持部１２との間に液晶表示器２２が介在することで把持部１２から離間するように配置されており、その外面側が読取口１４ａを除き液晶表示器２２近傍まで保護部材１５により覆われている。
【００２５】
保護部材１５は、放熱性の高い金属製の第２放熱板５２の両面を高熱伝導性のシリコンゴム１６で被覆するように一体的に成形されており、落下等による衝撃を吸収して頭部１４等への衝撃の伝達を抑制する保護機能を有している。
【００２６】
また、読取装置１０は、制御部２１や情報コード読取部３０、ＲＦＩＤタグ処理部４０など取得した情報の処理時に発熱する部材（以下、発熱部材２０という）の熱を筐体１１外に放熱するための放熱部材５０を備えている。この放熱部材５０は、図２に示すように、筐体１１内に配置されて発熱部材２０からの熱を受ける第１放熱板５１と、保護部材１５のシリコンゴム１６で被覆された第２放熱板５２とを分離可能に備えるよう構成されている。なお、放熱部材５０は、特許請求の範囲に記載の「放熱部材」の一例に相当し、第１放熱板５１および第２放熱板５２は、特許請求の範囲に記載の「第１放熱部」および「第２放熱部」の一例に相当する。
【００２７】
第１放熱板５１はその中央部５１ａにて熱伝導シート６０に面接触し、この熱伝導シート６０は発熱部材２０の少なくとも一部を覆うように面接触する。これにより、熱伝導シート６０を介して第１放熱板５１および発熱部材２０間での熱伝達が良好になされることとなる。なお、この面接触部およびその周囲にゲル状の熱伝導材料を塗布することで、熱伝導性をさらに向上させてもよい。
【００２８】
中央部５１ａの頭部１４側には、第２放熱板５２に着脱可能に連結するための第１連結部５１ｂが端部から直立して突出するように設けられている。この第１連結部５１ｂは、２つの平板部が所定の隙間を構成するように平行に形成されており、両平板部の先端側が互いに離間するように傾斜している。また、中央部５１ａの把持部１２側であって熱伝導シート６０に面接触しない部位には、延出部５１ｃが第１連結部５１ｂから離間する方向（第２放熱板５２から離間する方向）に延出するように設けられている。
【００２９】
このように構成される第１放熱板５１は、筐体１１内にて所定の位置に収容されるとき、第１連結部５１ｂの先端側が筐体１１の外側に露出するとともに、延出部５１ｃが筐体１１内に延出するように組み付けられる。
【００３０】
第２放熱板５２には、第１放熱板５１の第１連結部５１ｂに着脱可能に連結するための第２連結部５２ａがシリコンゴム１６から一部露出するように設けられている。この第２連結部５２ａは、第１連結部５１ｂの上記所定の隙間に嵌合可能に平板状に形成されており、その先端側が断面尖形状になっている。また、この第２放熱板５２は、後述するようにＲＦＩＤタグ処理部４０のアンテナとして機能し、説明の便宜上、アンテナ機能を発揮する場合には当該第２放熱板５２をアンテナ５２ともいう。
【００３１】
このように構成される放熱部材５０では、第１放熱板５１が収容された筐体１１の頭部１４に保護部材１５を組み付けて当該頭部１４を覆うとき、シリコンゴム１６から露出する第２連結部５２ａが筐体１１の外側に露出する第１連結部５１ｂの隙間に嵌合する。これにより、両連結部５１ｂ，５２ａを介して第１放熱板５１および第２放熱板５２が連結されることとなる。特に、本実施形態では、第１放熱板５１および第２放熱板５２と第１連結部５１ｂおよび第２連結部５２ａとを同じ金属製の材料にて形成することで、第１放熱板５１および第２放熱板５２を一体に形成する場合と同等の熱伝導性を両放熱板５１，５２間に持たせている。
【００３２】
図３に示すように、制御部２１には、上述した液晶表示器２２およびキー操作部２３に加えて、ＬＥＤ２４、スピーカ２５および外部インターフェース２６などが接続されている。制御部２１は、マイコンを主体として構成されるものであり、ＣＰＵ、システムバス、入出力インターフェース等を有し、メモリ２７とともに情報処理装置として機能している。また、液晶表示器２２、ＬＥＤ２４およびスピーカ２５は、いずれも制御部２１によって制御される構成をなしており、それぞれ、制御部２１からの指令を受けて動作する。また、キー操作部２３は、使用者による各キーのキー操作に応じて制御部２１に対して操作信号を与える構成をなしており、制御部２１は、キー操作部２３から操作信号を受けたとき、その操作信号に応じた動作を行うように構成されている。
【００３３】
外部インターフェース２６は、外部（例えばホスト装置）との間でのデータ通信を行うためのインターフェースとして構成されており、制御部２１と協働して通信処理を行う構成をなしている。また、筐体１１内には、電源となるバッテリ２８や電源部２９が設けられており、これらによって制御部２１や各種電気部品に電力が供給されている。
【００３４】
また、制御部２１には、外部から情報を取得する取得手段としての情報コード読取部３０およびＲＦＩＤタグ処理部４０がそれぞれ接続されている。
情報コード読取部３０は、図４（Ａ）に示すように、ＣＣＤエリアセンサなどの固体撮像素子からなる受光センサ３３、結像レンズ３７、複数個のＬＥＤやレンズ等から構成される照明部３１などを備えた構成をなしており、制御部２１と協働して読取対象Ｒに付された情報コードＣを光学的に読み取るように機能する。
【００３５】
この情報コード読取部３０によって読み取りを行う場合、まず、制御部２１から指令を受けた照明部３１にて照明光Ｌｆが出射され、この照明光Ｌｆが読取口１４ａを通って情報コードＣが付された読取対象Ｒに照射される。そして、照明光Ｌｆが情報コードＣにて反射した反射光Ｌｒは読取口１４ａを通って装置内に取り込まれ、結像レンズ３７を通って受光センサ３３に受光される。
【００３６】
読取口１４ａと受光センサ３３との間に配される結像レンズ３７は、情報コードＣの像を受光センサ３３上に結像させる構成をなしており、受光センサ３３はこの情報コードＣの像に応じた受光信号を出力する。受光センサ３３から出力される受光信号は、画像データとしてメモリ２７に記憶され、デコード処理などに用いられるようになっている。なお、情報コード読取部３０には、受光センサ３３からの信号を増幅する増幅回路や、その増幅された信号をデジタル信号に変換するＡＤ変換回路等が設けられているがこれらの回路については図示を省略している。また、情報コード読取部３０および制御部２１は、特許請求の範囲に記載の「光学的読取手段」の一例に相当する。
【００３７】
ＲＦＩＤタグ処理部４０は、頭部１４を保護する保護部材１５の第２放熱板５２をアンテナ５２として使用することで、このアンテナ５２および制御部２１と協働してＲＦＩＤタグＴとの間で電磁波による無線通信を行ない、ＲＦＩＤタグＴに記憶されるデータの読取り、或いはＲＦＩＤタグＴへのデータの書込みを行なうように機能する。なお、ＲＦＩＤタグ処理部４０および制御部２１は、特許請求の範囲に記載の「ＲＦＩＤタグ読取手段」の一例に相当する。
【００３８】
ＲＦＩＤタグ処理部４０は、ＲＦＩＤタグＴを広範囲（例えば２ｍ〜４ｍ）であっても読取可能とするために高出力の電波を連続して送信可能に構成されており、図４（Ｂ）に示すように、送信回路４１、受信回路４２、整合回路４３などを有している。送信回路４１は、キャリア発振器、符号化部、増幅器、送信部フィルタ、変調部などによって構成されており、キャリア発振器から所定の周波数のキャリア（搬送波）が出力される構成をなしている。また、符号化部は、制御部２１に接続されており、当該制御部２１より出力される送信データを符号化して変調部に出力する構成をなしている。
【００３９】
変調部は、キャリア発振器からのキャリア（搬送波）、及び符号化部からの送信データが入力されるものであり、キャリア発振器より出力されるキャリア（搬送波）に対し、通信対象へのコマンド送信時に符号化部より出力される符号化された送信符号（変調信号）によってＡＳＫ（Amplitude Shift Keying）変調された被変調信号を生成し、増幅器に出力している。また、増幅器は、入力信号（変調部によって変調された被変調信号）を所定のゲインで増幅し、その増幅信号を送信部フィルタに出力しており、送信部フィルタは、増幅器からの増幅信号をフィルタリングした送信信号を整合回路４３を介してアンテナ５２に出力している。このようにしてアンテナ５２に送信信号が出力されると、その送信信号が電磁波として当該アンテナ５２より外部に放射される。
【００４０】
一方、アンテナ５２によって受信された電波信号は、整合回路４３を介して受信回路４２に入力される。この受信回路４２は、受信部フィルタ、増幅器、復調部、二値化処理部、複号化部などによって構成されており、アンテナ５２を介して受信された信号を受信部フィルタによってフィルタリングした後、増幅器によって増幅し、その増幅信号を復調部によって復調する。そして、その復調された信号波形を二値化処理部によって二値化し、復号化部にて復号化した後、その復号化された信号を受信データとして制御部２１に出力している。
【００４１】
次に、上述のように構成される読取装置１０において、放熱部材５０による放熱作用について以下に説明する。
例えば、ＲＦＩＤタグ処理部４０において、ＲＦＩＤタグＴを広範囲で読取可能とするために高出力の電波をアンテナ５２を介して連続して送信していると、ＲＦＩＤタグ処理部４０や制御部２１などの発熱部材２０から高温の熱が発生する。
【００４２】
このように発熱部材２０にて発生した熱は、面接触する熱伝導シート６０を介することで良好に第１放熱板５１に伝達されると、第１連結部５１ｂおよび第２連結部５２ａを介して筐体１１外に配置される第２放熱板５２に伝達される。このように伝達される熱が第２放熱板５２にて筐体１１外に放熱されるので、発熱部材２０にて発生した熱を効果的に放熱して冷却することができる。
【００４３】
また、第２放熱板５２による放熱効果が小さい発熱初期段階では、第１放熱板５１に伝達される熱が延出部５１ｃにより筐体１１内に放熱されるので、発熱部材２０の熱をより効果的に放熱することができる。
【００４４】
以上説明したように、本実施形態に係る読取装置１０では、放熱部材５０は、筐体１１内に配置されてＲＦＩＤタグ処理部４０や制御部２１などの発熱部材２０からの熱を受ける第１放熱板５１と、筐体１１外に配置されて第１放熱板５１を介して伝達される熱を放熱する第２放熱板５２とを備えている。また、熱伝導シート６０は、第１放熱板５１および発熱部材２０にそれぞれ面接触して両部材間の熱伝達を行う。そして、第２放熱板５２は、筐体１１のうち把持部１２と異なる頭部１４の外面側に配置される。
【００４５】
これにより、筐体１１内に配置される発熱部材２０にて発生した熱は、同じく筐体１１内に配置される熱伝導シート６０および第１放熱板５１を介して、筐体１１外に配置される第２放熱板５２に伝達され、この第２放熱板５２にて筐体１１外に放熱されるので、発熱部材２０の熱を効果的に放熱することができる。また、第２放熱板５２は、筐体１１のうち把持部１２と異なる頭部１４の外面側に配置されるので、把持部１２を把持する使用者が発熱部材２０の熱を感じにくくすることができる。
【００４６】
また、本実施形態に係る読取装置１０では、第２放熱板５２は、保護部材１５としてシリコンゴム１６により一体化して被覆されているため、上述した放熱機能に加えて落下等による衝撃を吸収する保護機能をも兼備することができる。
【００４７】
さらに、本実施形態に係る読取装置１０では、第１放熱板５１および第２放熱板５２は、同じ材料にて設けられる連結部５１ｂ，５２ａをそれぞれ介して熱伝導可能に連結されるため、第１放熱板５１および第２放熱板５２が分離可能に構成されることとなる。これにより、筐体１１内に配置される第１放熱板５１の第１連結部５１ｂを筐体１１外に露出させることで、第１放熱板５１等を収容した筐体１１に対し、両連結部５１ｂ，５２ａを連結するように第２放熱板５２を後から組み付けることが可能となり、筐体１１の内外に配置される第１放熱板５１および第２放熱板５２の組付性を向上させることができる。また、両放熱板５１，５２の連結部５１ｂ，５２ａはそれぞれ同じ材料で構成されるので、両放熱板５１，５２を一体に形成する場合と同等の熱伝導性を両放熱板５１，５２間に持たせることができる。
【００４８】
また、本実施形態に係る読取装置１０では、第２放熱板５２は、上述した放熱機能に加えて、ＲＦＩＤタグ処理部４０の無線通信に関するアンテナ機能を兼備するので、筐体１１外への放熱を実現するための部品点数の増大や大型化を抑制することができる。
【００４９】
さらに、本実施形態に係る読取装置１０では、第１放熱板５１は、熱伝導シート６０に面接触しない部位である延出部５１ｃが筐体１１内にて第２放熱板５２から離間する方向に延出するため、熱伝導シート６０を介する発熱部材２０からの熱が、第２放熱板５２だけでなくこの延出部５１ｃにも伝達される。これにより、発熱部材２０からの熱伝導経路が長いために第２放熱板５２による放熱効果が小さい発熱初期段階であっても、第１放熱板５１に伝達される熱が延出部５１ｃにて筐体１１内に放熱されるため、発熱部材２０の熱をより効果的に放熱することができる。
【００５０】
また、本実施形態に係る読取装置１０では、取得手段として、情報コードＣに記録されている情報を読み取る情報コード読取部３０が設けられており、第２放熱板５２は、読取口１４ａ近傍に配置されている。このような情報コード読取部３０を備える携帯端末では、通常、読取口１４ａから離間する部位を把持部１２と想定し読取口１４ａ近傍を把持しない構成になるので、第２放熱板５２を読取口１４ａ近傍に配置することで、把持部１２を把持する使用者が発熱部材２０の熱を感じにくくすることができる。
【００５１】
なお、上記実施形態に係る変形例として、図５に示すように、シリコンゴム１６の厚さを厚くした保護部材１５ａを採用してもよい。これにより、保護部材１５ａによる頭部１４等に対する保護機能を向上させることができる。特に、第１放熱板５１および第２放熱板５２は分離可能に構成されているため、保護部材１５および保護部材１５ａのいずれか一方を採用する場合でも、筐体１１を開封することなく、容易に筐体１１の頭部１４等に組み付けるとともに両放熱板５１，５２を連結することができる。
【００５２】
なお、本発明は上記実施形態に限定されるものではなく、以下のように具体化してもよく、その場合でも、上記実施形態と同等の作用・効果が得られる。
（１）上記実施形態では、本発明の携帯端末を、情報コードリーダ機能およびＲＦＩＤタグリーダ機能を有する読取装置１０に適用した例を説明したが、これに限ることなく、ＲＦＩＤタグリーダ機能のみを有する読取装置に適用してもよいし、情報コードリーダ機能のみを有する読取装置に適用してもよい。さらに、本発明の携帯端末を、例えばＰＤＡなどの公知の手法により外部から情報を取得する情報読取装置に適用してもよい。
【００５３】
（２）保護部材１５は、第２放熱板５２の一部のみがシリコンゴム１６により被覆されて構成されてもよい。この場合、第２放熱板５２の残部は、例えば、他の部材により被覆されてもよいし、シリコンゴム１６などに囲まれて使用者が触れることのないように露出してもよい。
【００５４】
（３）第１連結部５１ｂおよび第２連結部５２ａを廃止して、第１放熱板５１および第２放熱板５２を一体に成形するようにしてもよい。
【００５５】
（４）頭部１４が使用者に把持される可能性が低く当該頭部１４の保護の必要性が低い場合には、保護部材１５を廃止して、第２放熱板５２の少なくとも一部を筐体１１外に露出するようにしてもよい。
【００５６】
（５）第１放熱板５１および第２放熱板５２を別の種類の材料にて構成してもよいし、第１連結部５１ｂおよび第２連結部５２ａのみを別の種類の材料にて構成してもよい。
【符号の説明】
【００５７】
１０…読取装置（携帯端末）
１１…筐体
１２…把持部
１４…頭部
１４ａ…読取口
１５，１５ａ…保護部材（弾性部材）
１６…シリコンゴム（弾性部材）
２１…制御部（発熱部材）
３０…情報コード読取部（発熱部材，取得手段）
４０…ＲＦＩＤタグ処理部（発熱部材，取得手段）
５０…放熱部材
５１…第１放熱板（第１放熱部）
５１ａ…第１連結部
５２…第２放熱板，アンテナ（第２放熱部）
５２ａ…第２連結部
６０…熱伝導シート（熱伝導部材）
Ｃ…情報コード
Ｒ…読取対象
Ｔ…ＲＦＩＤタグ
【図１】
2011045004.tif 000003
【図２】
2011045004.tif 000004
【図３】
2011045004.tif 000005
【図４】
2011045004.tif 000006
【図５】
2011045004.tif 000007